(57)【要約】【課題】  セクタの外観を損ねないセクタ駆動装置を提供する。【解決手段】  セクタ基板２１上に、セクタプレート１８と絞り用セクタ１７とセパレートプレート１６とシャッタ用セクタ１５とを順に設け、これらを羽根受け板１１で覆う。セクタ基板２１と羽根受け板１１とはセクタ（１７，１５）を収納するためのセクタ室を形成し、これがセパレートプレート１６により２つに区切られている。区切られたセクタ室の一方には絞り用セクタ１７が収納され、他方にはシャッタ用セクタ１５が収納される。【選択図】          図２
2006138971.tif 000002
【特許請求の範囲】
【請求項１】
シャッタ開口を有するセクタ基板と、相反する方向に回転させることで前記シャッタ開口を覆う第１および第２のセクタとを有するセクタ駆動装置であって、
前記シャッタ開口に対応する位置に開口を有し、前記第１のセクタと前記第２のセクタとの間に設けられ、前記シャッタ開口の閉鎖時に前記第１及び第２のセクタの一部と重なる板状部材を有することを特徴とするセクタ駆動装置。
【請求項２】
前記第１及び第２のセクタは電源が切られている際、前記シャッタ開口を閉じていることを特徴とする請求項１記載のセクタ駆動装置。
【請求項３】
前記第１のセクタは前記シャッタ開口から入射する光量を減少させる絞り部が設けられていることを特徴とする請求項１記載のセクタ駆動装置。
【発明の詳細な説明】
【技術分野】
【０００１】
本発明は、セクタ駆動装置に関する。
【背景技術】
【０００２】
従来、２枚の羽根（セクタともいう）を相反する方向へ同時に回転させて、露光用のシャッタ開口を開閉するセクタ駆動装置が存在する（例えば、以下に示す特許文献１参照）。このようなセクタ駆動装置を搭載したカメラなどは、電源を切っている状態では受光部を保護するために２枚のセクタを閉じた状態とすることがある。
【特許文献１】登録実用新案第２６０７４００号公報
【発明の開示】
【発明が解決しようとする課題】
【０００３】
しかしながら、２枚のセクタが相反する方向に回転するため、セクタ同士が擦れ、表面に傷が付きやすい。このため、シャッタ開口を閉じた状態にすると、シャッタ開口からセクタに付いた傷が見えてしまう問題がある。
【０００４】
例えば、図５に示すように、羽根受け板１１に設けられたシャッタ開口１２から２枚のセクタ１５，１７が退避した状態から、図６に示すような、セクタ１５，１７がシャッタ開口１２に進入するタイプの場合、セクタ１５とセクタ１７とがシャッタ開口１２を閉じるとき、セクタ１５および１７の端部が互いにぶつかったり、セクタ１５とセクタ１７とが擦れたりすることで、傷１５ａがセクタ１５に生じることがある。この場合は、シャッタ開口１２を閉じた状態にしておくと小絞り開口３７から傷１５ａが見えてしまい外観を損ねるおそれがあった。
【０００５】
そこで本発明は、上記の問題に鑑みてなされたものであり、閉じた状態でのセクタの外観を損ねないセクタ駆動装置を提供することを目的とする。
【課題を解決するための手段】
【０００６】
かかる目的を達成するために、請求項１記載の本発明は、シャッタ開口を有するセクタ基板と、相反する方向に回転させることで前記シャッタ開口を覆う第１及び第２のセクタとを有するセクタ駆動装置であって、前記シャッタ開口に対応する位置に開口を有し、前記第１のセクタと前記第２のセクタとの間に設けられ、前記シャッタ開口の閉鎖時に前記第１及び第２のセクタの一部と重なる板状部材を有している構成とされる。第１のセクタと第２のセクタとの間に板状部材が設けられているので、第１及び第２のセクタ同士が直接擦りあうことがなく、第１及び第２のセクタは静止している板状部材と擦れるだけなので、セクタの破損や磨耗を低減することができる。
【０００７】
また、請求項１記載の前記セクタ駆動装置は、例えば請求項２記載のように、電源が切られている際、前記第１及び第２のセクタが前記シャッタ開口を閉じているように構成されても良い。オフの状態では撮像素子の受光部を保護するため、開口を閉じておく必要がある。このため、一般的にオフの状態ではセクタが重なり合う状態とされる。このような場合でも、本発明のようにセクタ間にセパレートプレートを設けることでセクタ同士が擦り合うことを防止でき、セクタの破損や磨耗を低減することができる。
【０００８】
また、請求項１記載の前記セクタ駆動装置は、例えば請求項３記載のように、前記第１のセクタが前記シャッタ開口から入射する光量を減少させる絞り部があるように構成されても良い。セクタの一方を絞り用のセクタとして使用できるように構成することで、セクタ駆動装置を小型化することができる。また、このように構成した場合でも本発明の構成を適用することで、セクタ同士が擦り合うことを防止でき、セクタの破損や磨耗を低減することができる。
【発明の効果】
【０００９】
本発明によれば、閉じた状態でのセクタの外観を損ねないセクタ駆動装置を実現することができる。
【発明を実施するための最良の形態】
【００１０】
以下、本発明を実施するための最良の形態を図面と共に詳細に説明する。
【実施例１】
【００１１】
図１は、本発明の実施例１によるセクタ駆動装置１０の外観を示す上視図である。図１に示すように、セクタ駆動装置１０は、セクタ基板２１上に羽根受け板１１が覆いかぶさっており、この間にセクタなどが収納された構成を有する。羽根受け板１１には、後述する撮像素子へ被写体像を入射させるための開口１２と、同じく後述するセクタを駆動するためのセクタレバー１４の可動領域となる逃げ穴１３とが設けられている。
【００１２】
次に、図１におけるＡ−Ａ断面構造を図２に示し、これを用いてセクタ駆動装置１０のより詳細な構成を説明する。図２に示すように、セクタ駆動装置１０は、セクタ基板２１上に、固体撮像装置１００に入射する光量を規制する開口２８を有した開口プレート１８と絞り用セクタ１７と被写体像を入射させる開口３８を有したセパレートプレート１６とシャッタ用セクタ１５とが順に設けられ、これらが羽根受け板１１により覆われた構成を有する。セクタ基板２１と羽根受け板１１とはセクタ（１７，１５）を収納するためのセクタ室を形成し、これがセパレートプレート１６により２つに区切られている。区切られたセクタ室の一方には絞り用セクタ１７が収納され、他方にはシャッタ用セクタ１５が収納される。セパレートプレート１６は、絞り用セクタ１７及びシャッタ用セクタ１５と重なるようになっており、シャッタ開口１２に対応する位置に開口３８が設けてある。なお、本実施例では、２枚のセクタ（１７，１５）を用いてシャッタ開口１２を開閉するように構成された場合を例に挙げる。したがって、絞り用セクタ１７はシャッタ用セクタとしても機能する。
【００１３】
シャッタ用セクタ１５および絞り用セクタ１７は１つのピン３０により駆動され、開口１２を開閉する。ピン３０はモータの回転軸２０に取り付けられたセクタレバー１９の先端付近に設けられる。回転軸２０の動力によりセクタレバー１９が回動されると、ピン３０に係合された２枚のセクタ（１５，１７）が揺動し、開口１２が開閉される。
【００１４】
回転軸２０には永久磁石のロータが圧入され、コイルが巻回されたステータ２２によりステップモータとして動作する。また、セクタ基板２１の下部はアッパーカバー２３によりカバーされる。
【００１５】
以上のように、セクタ室を２つに分割し、それぞれに１つのセクタを収納する構成とすることで、セクタ同士が直接ぶつかり合うことがなくなり、セクタの表面に傷が付きにくくなる。よって開口にセクタを進入させて開口を閉じた状態にしていても、外観を損ねることがない。
【００１６】
シャッタ用セクタ１５および絞り用セクタ１７の動作を図５、図６を参照して説明する。つまり、シャッタ用セクタ１５及び絞り用セクタ１７は、開口１２から退避した全開の状態（図５）から開口１２の領域に進入した全閉の状態（図６）若しくはこの全閉の状態から全開の状態にするときには、各セクタ（１５，１７）が協働して動く。このため、全開の状態から全閉の状態にするときは、セクタ（１５，１７）が相反する方向（お互いが近づく方向）に移動され、セクタ（１５，１７）が重なって開口１２の領域に進入することによって開口１２を閉じる。セクタ（１５，１７）が開口１２を閉じたとき、セクタ（１５，１７）の羽根受け板１１の開口１２から見える範囲が少なくとも直接ぶつからないようにセパレートプレート１６が設けられている。本実施の形態のセパレートプレート１６は、開口１２や２８と同径の開口３８を設けて、その開口３８周辺は板状部材で覆っている構成となっている。
【００１７】
また、開口２８直下の領域には図３に示すような固体撮像素子１００をドッキングするためのドッキングベイ２４が設けられている。なお、図３は固体撮像装置１００の断面である。
【００１８】
図３に示すように、固体撮像装置１００は、カメラ基板１１７上に撮像素子１１６と周辺回路素子１２０とを有し、これらがホルダ１１１に収納されている。ホルダ１１１は１つ以上のレンズ（これをレンズ群１１４という）が取り付けられたレンズホルダ１１２を保持する。レンズホルダ１１２の上部、すなわち開口２８下に位置する領域には絞り開口１１３が設けられ、開口２８からの光がレンズ群１１４を介して撮像素子１１６に入射されるように構成されている。
【００１９】
次に、セクタ駆動装置１０の分解図を用いて、これの構造を説明する。図４に示すように、セクタ駆動装置１０はセクタ基板２１上に、開口プレート１８と絞り用セクタ１７とセパレートプレート１６とシャッタ用セクタ１５と羽根受け板１１とが順に配置される。
【００２０】
セクタ基板２１に取り付けられた回転軸２０にはピン３０が設けられたセクタレバー１９が取り付けられる。また、セクタ基板２１には絞り用セクタ１７の回転中心軸となるピン３１と、シャッタ用セクタ１５の回転中心軸となるピン３２とが設けられている。ピン３１はセクタプレート１８に設けられた穴３３を介して、絞り用セクタ１７に設けられた穴２６に係合される。一方、ピン３２は開口プレート１８に設けられた穴３４およびセパレートプレート１６に設けられた穴３５を介して、シャッタ用セクタ１５に設けられた穴３９に係合される。そして、ピン３１，３２を介してセクタ基板２１とセパレートプレート１６が固定されている。さらに、駆動用のピン３０は開口プレート１８に設けられた逃げ穴２９を介して、絞り用セクタ１７のカム穴２７およびシャッタ用セクタ１５のカム穴２５に係合され、さらに羽根受け板１１の逃げ穴１３まで突出している。
【００２１】
セクタ基板２１には上述した固体撮像装置１００に光を入射させるための開口３６が設けられている。また、開口プレート１８、セパレートプレート１６および羽根受け板１１にも、開口３６と対応する位置に開口２８、３８、１２が設けられており、固体撮像装置１００へ光が入射できるように構成されている。そして、セパレートプレート１６が開口１２の開閉時にセクタ（１５，１７）の移動領域全域において両セクタ（１５，１７）と重なるようになっている。さらに、絞り用セクタ１７の所定の箇所には絞り用の小さな開口３７が設けられており、固体撮像装置１００へ入射する光量を減らすことができるように構成されている。
【００２２】
以上のように、本実施例によるセクタ駆動装置１０は、セクタ室が２つに分割され、それぞれに１つのセクタが収納されている。なお、本実施例では２つのセクタを用いた場合を例に挙げたが、本発明はこれに限定されず、例えば開口を開く２枚のセクタと、開口を閉じる２枚のセクタとの合計４枚のセクタを用いた構成であっても同様に適用することができる。すなわち、電源を切っている状態で重なり合うように構成された２枚のセクタ間にセパレートプレートを配設し、これらが直接擦りあわないように構成することで、セクタの表面に傷が付くおそれを低減することが可能となる。
【００２３】
上記した実施例１は本発明を実施するための例にすぎず、本発明はこれらに限定されるものではなく、これらの実施例を種々変形することは本発明の範囲内であり、更に本発明の範囲内において、他の様々な実施例が可能であることは上記記載から自明である。例えば、絞り用セクタ１７には小径の絞り用開口３７が設けられていたが、これに限らず小径の穴にせず開口を覆うことが可能な位置にＮＤフィルタを設けるようにしてもよい。
【図面の簡単な説明】
【００２４】
【図１】本発明の実施例１によるセクタ駆動装置１０の構成を示す上視図である。
【図２】図１に示すセクタ駆動装置１０のＡ−Ａ断面図である。
【図３】本発明の実施例１によるセクタ駆動装置１０にドッキングされる固体撮像装置１００の構成を示すＡ−Ａ断面図である。
【図４】本発明の実施例１によるセクタ駆動装置１０の分解図である。
【図５】セクタ駆動装置の全開状態を示す図である。
【図６】セクタ駆動装置の全閉状態を示す図である。
【符号の説明】
【００２５】
１０  セクタ駆動装置
１１  羽根受け板
１２、２８、３６、３７、３８  開口
１３、２５、２７、２９  カム穴
１４  セクタレバー
１５  シャッタ用セクタ
１６  セパレートプレート
１７  絞り用セクタ
１８  セクタプレート
１９  セクタレバー
２０  回転シャフト
２１  セクタ基板
２２  スタータ
２３  アッパーカバー
２４  ドッキングベイ
２６、３３、３４、３５  カム穴
３０、３１、３２  ピン
【図１】
2006138971.tif 000003
【図２】
2006138971.tif 000004
【図３】
2006138971.tif 000005
【図４】
2006138971.tif 000006
【図５】
2006138971.tif 000007
【図６】
2006138971.tif 000008